(57)【特許請求の範囲】
【請求項１】
誤差拡散処理部と、この誤差拡散処理部から表示装置へ出力する拡散出力信号に基づいて表示面積率を求める表示面積率演算部と、この表示面積率演算部で求めた表示面積率に基づいて各フレームの輝度を演算し、演算値に基づいてロックオン信号、ロックオフ信号を出力するアドレスロック検出部と、前記表示面積率演算部で求めた表示面積率が、その平均値を含む一定範囲Ｗ内のときにはそのまま出力し、一定範囲Ｗ外のときには一定範囲Ｗ内の設定値Ｓ１を出力し、かつ前記アドレスロック検出部のロックオン信号で出力値がロックされ、ロックオフ信号で出力値のロックが解除されるアドレス制御部と、このアドレス制御部の出力値をアドレスとして予め記憶された複数の輝度低下率の中から対応した輝度低下率を求める輝度低下率ＲＯＭと、この輝度低下率ＲＯＭから求めた輝度低下率に基づいて輝度偏差量を求め前記誤差拡散処理部へ出力する輝度特性取得部とを具備し、前記アドレスロック検出部は、各フレームの輝度を演算し、現フレームと複数フレーム前のフレームとの間における輝度変化率が設定値Ｓ２以下か否かを検出する輝度変化率検出部と、この輝度変化率検出部の検出値に基づいてフレームパルスをカウントアップ、カウントダウンするアップダウンカウンタと、このアップダウンカウンタのカウント値が設定値Ｓ３以上か否かに基づいてロックオン信号、ロックオフ信号を出力するロック判定器とを具備してなることを特徴とする階調適応型誤差拡散回路。
【請求項２】
誤差拡散処理部と、この誤差拡散処理部から表示装置へ出力する拡散出力信号に基づいて表示面積率を求める表示面積率演算部と、この表示面積率演算部で求めた表示面積率に基づいて各フレームの輝度を演算し、演算値に基づいてロックオン信号、ロックオフ信号を出力するアドレスロック検出部と、前記表示面積率演算部で求めた表示面積率が、その平均値を含む一定範囲Ｗ内のときにはそのまま出力し、一定範囲Ｗ外のときには一定範囲Ｗ内の設定値Ｓ１を出力し、かつ前記アドレスロック検出部のロックオン信号で出力値がロックされ、ロックオフ信号で出力値のロックが解除されるアドレス制御部と、このアドレス制御部の出力値をアドレスとして予め記憶された複数の輝度低下率の中から対応した輝度低下率を求める輝度低下率ＲＯＭと、この輝度低下率ＲＯＭから求めた輝度低下率に基づいて輝度偏差量を求め前記誤差拡散処理部へ出力する輝度特性取得部とを具備し、前記アドレスロック検出部は、各フレームの輝度を演算し、現フレームと前フレームの間における輝度変化率が設定値Ｓ２以下かを検出する輝度変化率検出部と、この輝度変化率検出部の検出値に基づいてフレームパルスをカウントアップ、カウントダウンするアップダウンカウンタと、このアップダウンカウンタのカウント値が設定値Ｓ３Ａ以上のときにロックオン信号を出力し、カウント値が設定値Ｓ３Ａ以上になった後は設定値Ｓ３Ｂ（Ｓ３Ｂ＜Ｓ３Ａ）以下のときにロックオフ信号を出力するロック判定器とを具備してなることを特徴とする階調適応型誤差拡散回路。
【請求項３】
誤差拡散処理部と、この誤差拡散処理部から表示装置へ出力する拡散出力信号に基づいて表示面積率を求める表示面積率演算部と、この表示面積率演算部で求めた表示面積率に基づいて各フレームの輝度を演算し、演算値に基づいてロックオン信号、ロックオフ信号を出力するアドレスロック検出部と、前記表示面積率演算部で求めた表示面積率が、その平均値を含む一定範囲Ｗ内のときにはそのまま出力し、一定範囲Ｗ外のときには一定範囲Ｗ内の設定値Ｓ１を出力し、かつ前記アドレスロック検出部のロックオン信号で出力値がロックされ、ロックオフ信号で出力値のロックが解除されるアドレス制御部と、このアドレス制御部の出力値をアドレスとして予め記憶された複数の輝度低下率の中から対応した輝度低下率を求める輝度低下率ＲＯＭと、この輝度低下率ＲＯＭから求めた輝度低下率に基づいて輝度偏差量を求め前記誤差拡散処理部へ出力する輝度特性取得部とを具備し、前記アドレスロック検出部は、各フレームの輝度を演算し、現フレームと複数フレーム前のフレームとの間における輝度変化率が設定値Ｓ２以下か否かを検出する輝度変化率検出部と、この輝度変化率検出部の検出値に基づいてフレームパルスをカウントアップ、カウントダウンするアップダウンカウンタと、このアップダウンカウンタのカウント値が設定値Ｓ３Ａ以上のときにロックオン信号を出力し、カウント値が設定値Ｓ３Ａ以上になった後は設定値Ｓ３Ｂ（Ｓ３Ｂ＜Ｓ３Ａ）以下のときにロックオフ信号を出力するロック判定器とを具備してなることを特徴とする階調適応型誤差拡散回路。
【請求項４】
アドレスロック検出部の輝度変化率検出部は、ロック判定器からロックオフ信号が出力しているときには現フレームと２ｐ（ｐは１以上の整数）フレーム前のフレームとの間における輝度変化率が設定値Ｓ２以下か否かを検出し、ロック判定器からロックオン信号が出力しているときにはロックオン開始時から２ｐフレーム前のフレームと現フレームとの間における輝度変化率が設定値Ｓ２以下か否かを検出してなる請求項１又は３記載の階調適応型誤差拡散回路。
【請求項５】
アドレスロック検出部の輝度変化率検出部は、ロック判定器からロックオフ信号が出力しているときには現フレームと４ｐ（ｐは１以上の整数）フレーム前のフレームとの間における輝度変化率が設定値Ｓ２以下か否かを検出し、ロック判定器からロックオン信号が出力しているときにはロックオン開始時から４ｐフレーム前のフレームと現フレームとの間における輝度変化率が設定値Ｓ２以下か否かを検出してなる請求項１又は３記載の階調適応型誤差拡散回路。
【請求項６】
輝度特性取得部と誤差拡散処理部の間に、前記輝度特性取得部で求めた輝度偏差量の変動を抑制して前記誤差拡散処理部へ出力するフィルタを設け、このフィルタは、前記輝度特性取得部で求めた輝度偏差量の変動量が設定値Ｓ４未満のときには変動前の輝度偏差量に対応した固定値を出力し、設定値Ｓ４以上のときには変動後の輝度偏差量に対応した値を出力してなることを特徴とする請求項１、２、３、４又は５記載の階調適応型誤差拡散回路。
【請求項７】
誤差拡散処理部から出力する拡散出力信号の反転を補正して表示装置及び表示面積率演算部へ出力する反転補正部と、輝度特性取得部から出力する輝度偏差量に基づいて反転を検出し、前記反転補正部へ補正情報を出力する反転検出部とを設けてなる請求項１、２、３、４、５又は６記載の階調適応型誤差拡散回路。
【発明の詳細な説明】
【０００１】
【発明の属する技術分野】
本発明は、ＰＤＰ（プラズマディスプレイパネル）のような非線形な階調特性をもつディジタルディスプレイ装置（表示装置）で、誤差拡散による擬似中間調画像表示を行うための階調適応型誤差拡散回路に関するものである。
【０００２】
【従来の技術】
ＰＤＰの駆動方式はディジタル化された映像入力信号による直接駆動方式であるので、パネル面から発光される輝度階調は扱う信号のビット数で定まる。
ＰＤＰは基本的特性の異なるＡＣ型とＤＣ型の２方式に分けられ、このＡＣ型ＰＤＰでは、階調表示に関し試作レベルで最大６４階調表示までの報告しかなかったが、アドレス・表示分離型駆動法（ＡＤＳサブフィールド法）による将来の２５６階調の手法が提案されている。
【０００３】
ＡＤＳサブフィールド法における１フレーム（又は１フィールド）は、輝度の相対比が、例えば１、２、４、８、１６、３２、６４、１２８の８個のサブフィールドで構成され、８画面の輝度の組み合わせで２５６階調の表示を行う。それぞれのサブフィールドは、リフレッシュした１画面分のデータの書込みを行うアドレス期間とそのサブフィールドの輝度レベルを決めるサスティン期間で構成される。アドレス期間では、最初全画面同時に各ピクセルに初期的に壁電荷が形成され、その後サスティンパルスが全画面に与えられ表示を行う。サブフィールドの明るさはサスティンパルスの数に比例し、所定の輝度に設定される。このようにして２５６階調表示が実現される。
【０００４】
以上のようなＡＣ駆動方式では、階調数を増やせば増やすほど、１フレーム期間内でパネルを点灯発光させる準備期間としてのアドレス期間のビット数が増加するため、発光期間としてのサスティン期間が相対的に短くなり、最大輝度が低下する。
パネル面から発光される輝度階調は、扱う信号のビット数によって定まるため、扱う信号のビット数を増やせば、画質は向上するが、発光輝度が低下し、逆に扱う信号のビット数を減らせば、発光輝度が増加するが、階調表示が少なくなり、画質の低下を招く。
【０００５】
入力信号のビット数よりも出力駆動信号のビット数を低減しながら、入力信号と発光輝度との濃淡誤差を最小にするための誤差拡散処理は、擬似中間調を表現する処理であり、少ない階調で濃淡表現する場合に用いられる。
従来の一般的な誤差拡散回路において、映像信号入力端子から誤差拡散回路にｕ（例えば８）ビットの原画素Ａｉ，ｊの映像信号が入力し、誤差拡散処理部を経て、さらにビット数をｖ（例えば４）ビットに減らす処理をしてＰＤＰを発光する。
また、ＲＯＭなどからなる発光輝度特性演算部は、例えば図１１に示すｙ＝ｘ（点線）にできるだけ近似した代表的な入力データ（実線）からＰＤＰの発光輝度特性を測定し記憶しておく。この発光輝度特性を誤差拡散処理部に送って誤差を算出して入力映像信号に加算し、拡散することによって擬似中間調表示を行っていた。
この結果、瞬間的には実線の階段状のような発光輝度レベルであるにも拘らず、実際は、平均化された状態で認識され、点線ｙ＝ｘに似た補正輝度線となる。
【０００６】
しかし、ＰＤＰなどの表示装置の発光輝度特性は、表示しようとするデータにより変化し、図１２に示すような発光輝度特性の場合もある。このような場合、図１１に示すような代表的な発光輝度特性に合わせ込む方法では、この代表的な特性を取得したとき以外のデータに対しては、階調特性に適応しきれないで、階調不適応による擬似輪郭が現われるという問題があった。
また、ＰＤＰなどの表示装置の発光輝度特性が、図１３に示すように、入力駆動信号が増加しているのに発光輝度レベルが減少する反転区間のある場合もある。この図１３のように発光輝度レベルが反転している場合、誤差拡散後の擬似中間調表示の階調特性も反転している部分があり、本来明るく表示されるべきところが暗く表示されて映像に違和感が生じるという問題があった。
【０００７】
【発明が解決しようとする課題】
本出願人は、このような問題を解決するために、既に図１４に示すような階調適応型誤差拡散回路を提案している。
図１４では、従来のようにＲＯＭから与えられていた発光輝度特性の代わりに、１または複数フレーム毎の発光輝度特性を、ＰＤＰなどのディスプレイ装置の入力データの負荷率から求められる輝度偏差特性に基づいて算出し、１または複数フレーム毎に発光輝度特性を更新して誤差拡散を行い、擬似輪郭が現われるのを防止していた。
【０００８】
さらに詳しく説明すると、入力端子１０に入力した映像信号に誤差拡散処理を行う誤差拡散処理部１２を設け、この誤差拡散処理部１２の出力側に反転補正部１４を結合し、この反転補正部１４で誤差拡散処理部１２から出力する拡散出力信号に反転補正値を加えて反転を補正し、出力端子１６を介してＰＤＰ（図示省略）へ出力する。
反転補正部１４の出力側に表示面積率演算部１８、ルックアップテーブルとしての輝度低下率ＲＯＭ２０及び輝度特性取得部２２を順次結合し、この輝度特性取得部２２で得られた輝度偏差量（輝度偏差データ）を誤差拡散処理部１２へ出力してループを形成する。また、反転検出部２４は、輝度特性取得部２２で得られた発光輝度特性から発光輝度レベルの反転を検出し、所定の発光輝度特性とするための補正情報を反転補正部１４へ出力する。
【０００９】
表示面積率演算部１８は、誤差拡散処理部１２で誤差拡散し、反転補正部１４で反転補正した出力データをサンプリングし、各サブフレームのサンプリングカウント値Ｃ（ｉ）（表示面積率）を求める。このカウント値Ｃ（ｉ）をアドレスとして、輝度低下率ＲＯＭ２０から輝度低下率が求められ、この輝度低下率に基づいて輝度特性取得部２２から輝度偏差量が求められる。この輝度偏差量が誤差拡散処理部１２へフィードバックされ、この輝度偏差量に対応した発光輝度特性に基づく誤差拡散処理が行われる。このため、「階調特性取得」→「誤差拡散」→「階調特性取得」→…のループで映像が処理され、刻々と変化するデータに対しても十分階調特性に適応し得るものである。
【００１０】
しかしながら、図１４に示した既提案の階調適応型誤差拡散回路では、伝送ノイズ等の影響による映像の微小変化や、閉ループのループ振動等により、静止画や動画（特に静止画）においてフリッカ（ちらつき）が目立つことがあるという問題があった。これは、映像の微小変化がカウント値Ｃ（ｉ）のずれとなって輝度特性がずれ、誤差拡散のパターンが動き、これがループしてフリッカに見えるからである。
【００１１】
本出願人は、上述のような問題を解決するために、既に図１５に示すような階調適応型誤差拡散回路を提案している（特願平８−１７４２３４）。
この図１５に示す回路は、図１４の階調適応型誤差拡散回路において、表示面積率演算部１８と輝度低下率ＲＯＭ２０の間にアドレスロック検出部２６とアドレス制御部２８を設け、輝度特性取得部２２と誤差拡散処理部１２の間にフィルタ３０を挿入したものである。
【００１２】
前記アドレスロック検出部２６は、図１６に示すように、輝度変化率検出部３２とアップダウンカウンタ３３とロック判定器３４とからなり、輝度変化率検出部３２は、入力端子３５に入力した表示面積率Ｃ（ｉ）に基づいて各フレームの発光輝度を演算する輝度演算器３６と、セレクタ３８と、１フレーム遅延器４０と、減算器４２と、係数器４４と比較器４６とで構成されている。
前記ロック判定器３４は、図１７に示すように、アップダウンカウンタ３３のカウント値ＨＬＫが予め設定したロック開始カウント値ＨＬＫＭ以上のときにはロックオン信号（アドレスロックオン信号）を出力し、カウント値ＨＬＫが設定値ＨＬＫＭ未満のときにはロックオフ信号（アドレスロックオフ信号）を出力するように構成され、その出力側はセレクタ３８のセレクト端子に結合されるとともに、出力端子４８に結合されている。
前記アップダウンカウンタ３３は、カウント値ＨＬＫがＨＬＫＭ＋β以上のときにはＨＬＫＭ＋βを出力し（ＨＬＫ＝ＨＬＫＭ＋βのオーバーリミット、βは１以上の整数）、カウント値ＨＬＫが０以下のときには０を出力する（ＨＬＫ＝０のアンダーリミット）ように構成されている。
【００１３】
前記アドレス制御部２８は、図１８に示すように、表示面積率演算部１８で求めた表示面積率Ｃ（ｉ）に基づいてつぎの▲１▼〜▲４▼に示す信号ＣＨ（ｉ）を出力するとともに、アドレスロック検出部２６のロックオン信号で出力値がロックされ、ロックオフ信号で出力値のロックが解除されるように構成されている。
▲１▼Ｃ（ｉ）＞ＣＡＶ＋α（αは１以上の整数）のときには、ＣＡＶ＋αを出力し（ＣＨ（ｉ）＝ＣＡＶ＋α、ここでＣＡＶはＣ（ｉ）の平均値）、
▲２▼Ｃ（ｉ）＜ＣＡＶ−αのときには、ＣＡＶ−αを出力し（ＣＨ（ｉ）＝ＣＡＶ−α）、
▲３▼Ｃ（ｉ）＝０のときには、ＣＡＶを出力し（ＣＨ（ｉ）＝ＣＡＶ）、
▲４▼ＣＡＶ−α≦ＣＨ（ｉ）≦ＣＡＶ＋αのとき（上記▲１▼▲２▼▲３▼以外のとき）には、ＣＨ（ｉ）をそのまま出力する。
【００１４】
以上のように、伝送ノイズ等の影響による映像の微小変化や閉ループのループ振動等により、輝度特性取得部２２から誤差拡散処理部１２へ帰還する輝度偏差量が変動し、表示面積率演算部１８で求めた表示面積率Ｃ（ｉ）が一定範囲Ｗの外になるほど大きくなった場合、アドレス制御部２８の出力値が、図１９に示すように平均値ＣＡＶを中心とした±α内に制限されので、輝度低下率ＲＯＭ２０から求められる輝度低下率の変動範囲も小さくなる。このため、静止画や動画のフリッカ原因である表示面積率Ｃ（ｉ）の実質値ＣＨ（ｉ）のバラツキを抑えることができ、フレーム毎の実質的なＣ（ｉ）（すなわちＣＨ（ｉ））はある値に収束する方向に向かい、誤差拡散ループ全体として、伝送ノイズ等の影響を受けにくくフリッカを軽減できる。また、輝度低下率ＲＯＭ２０の必要とする記憶容量を少なくできる。
しかも、フレーム間における輝度変化が小さいときに、アドレスロック検出部２６のロックオン信号でアドレス制御部２８から輝度低下率ＲＯＭ２０へ出力するアドレスをロックしているので、輝度低下率ＲＯＭ２０から求められる輝度低下率の変動範囲をさらに小さくして、フリッカをさらに軽減できる。
【００１５】
しかしながら、図１５に示した既提案の回路では、アドレスロック検出部２６の輝度変化率検出部３２は、１フレーム遅延器４０を用いてフレーム間の輝度変化率が設定値以下か否かを検出するようにしていたので、フレーム間拡散を行った場合に加算する雑音信号に起因して静止画の場合でもフリッカが生じる可能性があるという問題点があった。
【００１６】
すなわち、このフレーム間拡散は、誤差拡散処理部１２において誤差拡散に起因する擬似紋様を軽減させるための処理で、図２０に示すように、垂直・斜め拡散用の加算器１３と水平拡散用の加算器１５の間に１ドット遅延器Ｄ、Ｄを介して雑音多重用の加算器１７を挿入し、雑音多重制御信号に基づきレベル制御器１９で制御された雑音信号をフレーム毎に加算する。このため、あるフレーム（例えば２ｎフレーム）の各画素に図２１（ａ）に示すような雑音多重制御信号（パターンＡ）を加え、つぎのフレーム（例えば２ｎ＋１フレーム）の対応する各画素に反転信号である同図（ｂ）に示すような雑音多重制御信号（パターンＢ）を加えてフレーム間拡散処理を行った場合、隣接するフレーム間で加算する雑音信号が異なり、静止画でもフレーム間の輝度差が０にならない。したがって、静止画にも拘らずロック条件が成立せず、ループ振動を引き起こす可能性があるという問題点があった。
【００１７】
図２１（ａ）、（ｂ）に示すように、雑音多重制御信号のパターンＡ、Ｂの極性が互いに反転する関係に設定されているのは、加える雑音信号の和を０として雑音加算による映像への影響を少なくするためである。この極性反転は、例えば、雑音多重制御信号が「１」のときにレベル制御器１９から加算器１７にレベル「＋２」の雑音信号が出力するものとすると、雑音多重制御信号が「０」のときにレベル制御器１９から加算器１７に「＋２」の反転レベル「−２」の雑音信号が出力するようにするものである。
【００１８】
また、図１５に示した既提案の回路では、アドレスロック検出部２６のロック判定器３４が、アップダウンカウンタ３３のカウント値が設定値ＨＬＫＭ以上か否かに基づいてロックオン信号、ロックオフ信号を出力するようにしたので、映像入力信号の微小ノイズや伝送ノイズの影響によって、静止画においてロック条件が成立したりしなかったりを繰り返す状態になり、ループ振動を引き起こす可能性があるという問題点があった。
【００１９】
本発明は、上述のような問題点に鑑みてなされたもので、階調適応型誤差拡散回路において、「階調特性取得」→「誤差拡散」→「階調特性取得」→…のループ振動を抑制して静止画や動画に現われるフリッカを少なくするとともに、誤差拡散に起因する擬似紋様を軽減させるためのフレーム間拡散を行った場合においても、静止画にフリッカが現われないようにすることを目的とするものである。本発明は、映像入力信号の微小ノイズや伝送ノイズの影響によって、静止画においてロック条件が成立したりしなかったを繰り返す状態が生じないようにして、静止画にフリッカが現われないようにすることを目的とするものである。
【００２０】
【課題を解決するための手段】
請求項１の発明に係る階調適応型誤差拡散回路は、誤差拡散処理部と、この誤差拡散処理部から表示装置へ出力する拡散出力信号に基づいて表示面積率を求める表示面積率演算部と、求めた表示面積率に基づいて各フレームの輝度を演算し、演算値に基づいてロックオン信号、ロックオフ信号を出力するアドレスロック検出部と、表示面積率演算部で求めた表示面積率が、その平均値を含む一定範囲Ｗ内のときにはそのまま出力し、一定範囲Ｗ外のときには一定範囲Ｗ内の設定値Ｓ１を出力し、かつロックオン信号で出力値がロックされ、ロックオフ信号で出力値のロックが解除されるアドレス制御部と、このアドレス制御部の出力値をアドレスとして予め記憶された複数の輝度低下率の中から対応した輝度低下率を求める輝度低下率ＲＯＭと、求めた輝度低下率に基づいて輝度偏差量を求め誤差拡散処理部へ出力する輝度特性取得部とを具備し、アドレスロック検出部は、各フレームの輝度を演算し、現フレームと複数フレーム前のフレームとの間における輝度変化率が設定値Ｓ２以下か否かを検出する輝度変化率検出部と、この検出値に基づいてフレームパルスをカウントアップ、カウントダウンするアップダウンカウンタと、このカウント値が設定値Ｓ３以上か否かに基づいてロックオン信号、ロックオフ信号を出力するロック判定器とを具備してなることを特徴とする。
【００２１】
作用１：誤差拡散処理部による誤差の組入れで原映像信号を拡散させるとともに原映像信号より少ないビット数の信号に変換された拡散出力信号が表示面積率演算部に入力すると、この表示面積率演算部によって表示装置（例えばＰＤＰ）の表示面積率Ｃ（ｉ）が求められる。輝度変化率検出部は、表示面積率Ｃ（ｉ）を基にして各フレームの輝度を演算し、演算値に基づいて現フレームと複数フレーム前のフレームとの間における輝度変化率が設定値Ｓ２（例えばｋ）以下か否かを検出し、アップダウンカウンタは検出値の有無に基づいてフレームパルスをカウントアップ、カウントダウンする。
【００２２】
作用２：ロック判定器はアップダウンカウンタのカウント値が設定値Ｓ３（例えばＨＬＫＭ）以上のときにロックオン信号を出力し、設定値Ｓ３未満のときにロックオフ信号を出力する。
【００２３】
作用３：アドレス制御部は、表示面積率Ｃ（ｉ）が平均値ＣＡＶを含む一定範囲Ｗ内（例えば、ＣＡＶ−α≦Ｃ（ｉ）≦ＣＡＶ＋α）のときにはそのまま出力し、表示面積率Ｃ（ｉ）が一定範囲Ｗ外（例えば、Ｃ（ｉ）＜ＣＡＶ−α，ＣＡＶ＋α＜Ｃ（ｉ））のときには一定範囲Ｗ内の設定値Ｓ１（例えば、ＣＡＶ，ＣＡＶ−α，ＣＡＶ＋α）を出力するとともに、この出力値はアドレスロック検出部のロックオン信号でロックされ、ロックオフ信号でロックが解除される。アドレス制御部の出力値をアドレスとして輝度低下率ＲＯＭから対応した輝度低下率が求められ、この輝度低下率に基づいて輝度特性取得部で輝度偏差量が求められ誤差拡散処理部に帰還される。
【００２４】
作用４：伝送ノイズ等の影響による映像の微小変化や閉ループのループ振動等により、輝度特性取得部から誤差拡散処理部へ帰還する輝度偏差量が変動し、表示面積率演算部で求めた表示面積率Ｃ（ｉ）が平均値ＣＡＶを含む一定範囲Ｗの外になるほど大きくなった場合には、アドレス制御部でＣ（ｉ）を一定範囲Ｗ内に制限して輝度低下率ＲＯＭへのアドレスとすることによって、輝度低下率ＲＯＭから求められる輝度低下率の変動範囲を小さくする。
【００２５】
作用５：静止画のように現フレームと複数フレーム（例えば２フレーム）前のフレームとの間における輝度変化率が設定値Ｓ２以下の状態が続くような輝度変化の小さいときには、アドレスロック検出部のロックオン信号でアドレス制御部から輝度低下率ＲＯＭへ出力するアドレスをロックして、輝度低下率ＲＯＭから求められる輝度低下率の変動範囲をさらに小さくすることができる。
【００２６】
作用６：アドレスロック検出部の輝度変化率検出部は現フレームと複数フレーム前のフレームとの間における輝度変化率が設定値Ｓ２以下か否かを検出するので、誤差拡散に起因する擬似紋様を軽減するために、複数フレームで１巡りする複数フレーム巡回（例えば２フレーム巡回）の雑音信号でフレーム間拡散を行った場合においても、静止画に同じ極性の雑音信号を加算したフレーム間の輝度差が０となり、静止画にフリッカが現われない。
【００２７】
請求項２の階調適応型誤差拡散回路に係る発明は、誤差拡散処理部と、この誤差拡散処理部から表示装置へ出力する拡散出力信号に基づいて表示面積率を求める表示面積率演算部と、求めた表示面積率に基づいて各フレームの輝度を演算し、演算値に基づいてロックオン信号、ロックオフ信号を出力するアドレスロック検出部と、表示面積率演算部で求めた表示面積率が、その平均値を含む一定範囲Ｗ内のときにはそのまま出力し、一定範囲Ｗ外のときには一定範囲Ｗ内の設定値Ｓ１を出力し、かつロックオン信号で出力値がロックされ、ロックオフ信号で出力値のロックが解除されるアドレス制御部と、このアドレス制御部の出力値をアドレスとして予め記憶された複数の輝度低下率の中から対応した輝度低下率を求める輝度低下率ＲＯＭと、求めた輝度低下率に基づいて輝度偏差量を求め誤差拡散処理部へ出力する輝度特性取得部とを具備し、アドレスロック検出部は、各フレームの輝度を演算し、現フレームと前フレームの間における輝度変化率が設定値Ｓ２以下か否かを検出する輝度変化率検出部と、この輝度変化率検出部の検出値に基づいてフレームパルスをカウントアップ、カウントダウンするアップダウンカウンタと、このアップダウンカウンタのカウント値が設定値Ｓ３Ａ以上のときにロックオン信号を出力し、カウント値が設定値Ｓ３Ａ以上になった後は設定値Ｓ３Ｂ（Ｓ３Ｂ＜Ｓ３Ａ）以下のときにロックオフ信号を出力するロック判定器とを具備してなることを特徴とする。
【００２８】
この請求項２の発明の作用は、請求項１の発明の作用１、３、４、５の他につぎに記載の作用２Ａを有する。
作用２Ａ：ロック判定器はカウント値が設定値Ｓ３Ａ以上のときにロックオン信号を出力し、カウント値が設定値Ｓ３Ａ以上になった後はＳ３Ａより小さい設定値Ｓ３Ｂ以下のときにロックオフ信号を出力する。このため、カウント値が設定値Ｓ３以上か否かでロックオン信号、ロックオフ信号を出力する作用２と比べて、ロックが外れにくくなる。すなわち、カウント値が設定値Ｓ３Ａ以上となってアドレス制御部から輝度低下率ＲＯＭへ出力するアドレスがロックされた後は、カウント値がＳ３Ａより小さい設定値Ｓ３Ｂにならなければロックが解除されないからである。
【００２９】
請求項３の発明に係る階調適応型誤差拡散回路は、誤差拡散処理部と、この誤差拡散処理部から表示装置へ出力する拡散出力信号に基づいて表示面積率を求める表示面積率演算部と、求めた表示面積率に基づいて各フレームの輝度を演算し、演算値に基づいてロックオン信号、ロックオフ信号を出力するアドレスロック検出部と、表示面積率演算部で求めた表示面積率が、その平均値を含む一定範囲Ｗ内のときにはそのまま出力し、一定範囲Ｗ外のときには一定範囲Ｗ内の設定値Ｓ１を出力し、かつロックオン信号で出力値がロックされ、ロックオフ信号で出力値のロックが解除されるアドレス制御部と、このアドレス制御部の出力値をアドレスとして予め記憶された複数の輝度低下率の中から対応した輝度低下率を求める輝度低下率ＲＯＭと、求めた輝度低下率に基づいて輝度偏差量を求め誤差拡散処理部へ出力する輝度特性取得部とを具備し、アドレスロック検出部は、各フレームの輝度を演算し、現フレームと複数フレーム前のフレームとの間における輝度変化率が設定値Ｓ２以下か否かを検出する輝度変化率検出部と、この検出値に基づいてフレームパルスをカウントアップ、カウントダウンするアップダウンカウンタと、このカウント値が設定値Ｓ３Ａ以上のときにロックオン信号を出力し、カウント値が設定値Ｓ３Ａ以上になった後は設定値Ｓ３Ｂ（Ｓ３Ｂ＜Ｓ３Ａ）以下のときにロックオフ信号を出力するロック判定器とを具備してなることを特徴とする。
この請求項３の発明の作用は、請求項１、２の発明の作用のうちの作用１、２Ａ、３、４、５、６の作用を有する。
【００３０】
【発明の実施の形態】
本発明の一実施形態例を図１〜図４に基づき説明する。
これらの図において図１５、１６と同一部分は同一符号とし、その説明の一部を省略する。
表示装置としてアドレス・表示分離型駆動法（ＡＤＳサブフィールド法）により駆動するＰＤＰ（図示省略）を使用した場合を例として説明する。
図１は、図１５の既提案の階調適応型誤差拡散回路において、アドレスロック検出部２６の構成をアドレスロック検出部２６Ａに変更したものである。
【００３１】
前記アドレスロック検出部２６Ａは、図２にも示すように、輝度変化率検出部３２Ａとアップダウンカウンタ３３とロック判定器３４とからなり、輝度変化率検出部３２Ａは、入力端子３５に入力した表示面積率Ｃ（ｉ）に基づいて各フレームの発光輝度を演算する輝度演算器３６と、セレクタ３８と、２フレーム遅延器４１と、減算器４２と、係数器４４と比較器４６とで構成されている。
【００３２】
前記輝度演算器３６は、入力端子３５に入力した表示面積率Ｃ（ｉ）に基づいて、各フレームの発光輝度を演算して対応した信号を出力する。例えば、５ビットの擬似中間調映像信号を、１フレームを５個のサブフレーム（ＳＦ１〜ＳＦ５）で構成するＰＤＰへ出力するような場合には、各サブフレーム（ＳＦ１〜ＳＦ５）毎のサンプリングカウント値を重み付けを考慮して合計（ＳＦ１×１＋…＋ＳＦ５×１６）し、出力するように構成されている。
前記セレクタ３８は、前記輝度演算器３６から出力する現フレームの発光輝度をＡ信号とし、輝度演算器３６から出力した２又は複数フレーム前の発光輝度をＢ信号とし、前記ロック判別器３４からのロックオン信号でＢ信号を選択し、ロックオフ信号でＡ信号を選択して出力する。前記ロック判別器３４からのロックオン信号、ロックオフ信号については後述する。
【００３３】
前記減算器４２は、前記輝度演算器３６から出力する現フレームの発光輝度をＡ信号とし、前記セレクタ３８から出力する信号を２フレーム遅延器４１で２フレーム分遅延させた信号をＢ信号として｜Ａ−Ｂ｜の演算をし、演算結果を出力する。
前記比較器４６は、前記減算器４２の出力信号をＡ信号とし、前記輝度演算器３６から出力する現フレームの発光輝度の信号に前記係数器４４による係数（設定値Ｓ２）を掛けた信号をＢ信号として両者を比較し、Ａ≦ＢのときにはＨレベルの信号を出力し、Ａ＞ＢのときにはＬレベルの信号を出力する。前記設定値Ｓ２は０から１の間の所定値に設定される（０＜Ｓ２＜１）。
【００３４】
前記アップダウンカウンタ３３は、前記比較器４６からのＨレベル信号でアップカウンタ、Ｌレベル信号でダウンカウンタとして作動し、フレームパルス（例えば映像信号から分離された垂直同期信号）をカウントする。
前記ロック判別器３４は、既提案の回路で説明したように（図１７参照）、前記アップダウンカウンタ３３のカウント値ＨＬＫが予め設定したロック開始カウント値ＨＬＫＭ（設定値Ｓ３の例）以上のときにはロックオン信号を出力し、カウント値ＨＬＫが設定値ＨＬＫＭ未満のときにはロックオフ信号を出力し、カウント値ＨＬＫがＨＬＫＭ＋β以上のときにはＨＬＫＭ＋βを出力し、カウント値ＨＬＫが０以下のときには０を出力するように構成され、その出力側はセレクタ３８のセレクト端子に結合されるとともに、出力端子４８に結合されている。
【００３５】
前記アドレス制御部２８は、既提案の回路で説明したように（図１８参照）、前記表示面積率演算部１８で求めた表示面積率Ｃ（ｉ）に基づいてつぎの▲１▼〜▲４▼に示すような信号ＣＨ（ｉ）を出力するとともに、前記アドレスロック検出部２６Ａのロックオン信号で出力値がロックされ、ロックオフ信号で出力値のロックが解除されるように構成されている。
▲１▼Ｃ（ｉ）＞ＣＡＶ＋αのときには、ＣＡＶ＋αを出力し（ＣＨ（ｉ）＝ＣＡＶ＋α）、
▲２▼Ｃ（ｉ）＜ＣＡＶ−αのときには、ＣＡＶ−αを出力し（ＣＨ（ｉ）＝ＣＡＶ−α）、
▲３▼Ｃ（ｉ）＝０のときには、ＣＡＶを出力し（ＣＨ（ｉ）＝ＣＡＶ）、
▲４▼ＣＡＶ−α≦ＣＨ（ｉ）≦ＣＡＶ＋αのとき（上記▲１▼▲２▼▲３▼以外のとき）には、ＣＨ（ｉ）をそのまま出力する。
【００３６】
前記アドレス制御部２８は、具体的には図３に示すように、平均値演算器５６、減算器５８、比較器６０、６２、アンドゲート６４、６６、オアゲート６８、ノアゲート７０、加算器７２、セレクタ７４、７６、ゼロ検出器７７、アンドゲート７８及びＤラッチ８０からなっている。
【００３７】
前記平均値演算器５６は、入力端子８２に入力した表示面積率Ｃ（ｉ）の平均値ＣＡＶを演算して出力する。
前記減算器５８は、入力端子８２に入力したＣ（ｉ）をＡ信号とし、平均値演算器５６から出力するＣＡＶをＢ信号としＡ−Ｂを演算して出力する。
前記比較器６０は、減算器５８の出力信号をＡ信号とし、定数αをＢ信号として両者を比較し、Ａ＞ＢのときにＨレベル信号を、Ａ≦ＢのときにＬレベル信号を出力する。
前記比較器６２は、減算器５８の出力信号をＡ信号とし、定数−αをＢ信号として両者を比較し、Ａ＜ＢのときにＨレベル信号を、Ａ≧ＢのときにＬレベル信号を出力する。
【００３８】
前記アンドゲート６４、６６は、比較器６０、６２の出力信号をゲート信号として定数α、−αを出力し、前記オアゲート６８はアンドゲート６４、６６の一方から出力があるときに、その信号を出力する。
前記ノアゲート７０は、比較器６０、６２の出力信号に基づいて選択信号を出力する。
前記加算器７２は、平均値演算器５６から出力するＣＡＶをＡ信号とし、オアゲート６８から出力する信号をＢ信号として両者を加算し、加算値を出力する。前記セレクタ７４は、加算器７２の出力をＡ信号とし、入力端子８２に入力したＣ（ｉ）をＢ信号とし、ノアゲート７０の出力を選択信号とし、この選択信号がＬレベルのときにはＡ信号を選択し、ＨレベルのときにはＢ信号を選択して出力する。
【００３９】
前記ゼロ検出器７７は、入力端子８２に入力したＣ（ｉ）がゼロであるか否かを検出し、Ｈ、Ｌレベルの信号を出力する。
前記セレクタ７６は、平均値演算器５６から出力するＣＡＶをＡ信号とし、セレクタ７４から出力する信号をＢ信号とし、ゼロ検出器７７の出力を選択信号とし、この選択信号がＨレベルのときにはＡ信号を選択し、ＬレベルのときにはＢ信号を選択して出力する。
前記アンドゲート７８は、入力端子８３に入力したアドレスロック検出部２６Ａからの出力信号（ロックオン信号、ロックオフ信号）と、フレームパルスとの論理積信号を出力し、前記Ｄラッチ８０は、アンドゲート７８の出力信号をクロックパルスとして、セレクタ７６の出力のラッチ、アンラッチが制御されるように構成され、その出力を出力端子８４を介して前記輝度低下率ＲＯＭ２０へ出力する。
【００４０】
前記フィルタ３０は、前記輝度特性取得部２２で求めたフレーム毎の輝度偏差量の変動量が設定値Ｓ４以内のときには変動前の輝度偏差量を、設定値Ｓ４を越えているときには変動後の輝度偏差量を前記誤差拡散処理部１２へ出力して、輝度偏差量の変動を抑制するように構成されている。
前記フィルタ３０は、具体的には、図４に示すように、入力端子８５を介して前記輝度特性取得部２２から出力する輝度偏差量をＡ信号入力とする加算器８６と、この加算器８６の出力をＡ信号とするヒステリシス回路８８と、このヒステリシス回路８８の出力に１より小さい係数（例えば１／２）を掛け、出力端子９０を介して前記誤差拡散処理部１２へ出力する係数器９２と、前記ヒステリシス回路８８の出力を１フレーム分遅延させて出力する１フレーム遅延器９４と、この１フレーム遅延器９４の出力に１より小さい係数（例えば１／２）を掛け、前記加算器８６のＢ信号入力とする係数器９６とからなり、前記１フレーム遅延器９４の出力を前記ヒステリシス回路８８のＢ信号入力とする。
前記ヒステリシス回路８８は、Ａ信号とＢ信号を比較し、両者の差の絶対値が設定値Ｓ４以下であればＢ信号を出力し、設定値Ｓ４を越えているときにはＡ信号を出力するように構成されている。
【００４１】
つぎに前記実施形態例の作用を図１７〜図２０、図５を併用して説明する。
誤差拡散処理部１２は、誤差の組入れで入力端子１０に入力した原映像信号を拡散させ、かつ原映像信号より少ないビット数の拡散出力信号を出力し、反転補正部１４は、発光輝度レベルが反転している場合に誤差拡散処理部１２から出力する拡散出力信号の反転を補正し、出力端子１６を介してＰＤＰ（図示省略）へ出力し、これによって擬似中間調画像が表示される。
【００４２】
誤差拡散回路１２から反転補正部１４を介して表示面積率演算部１８へ拡散出力信号（映像データ）が伝送されてくると、この表示面積率演算部１８によって表示面積率Ｃ（ｉ）が求められるのは図１２、図１５の既提案の場合と同様である。
【００４３】
アドレスロック検出部２６Ａは、表示面積率演算部１８で求めたＣ（ｉ）に基づいて各フレームの輝度を演算し、その演算値に基づいてロックオン信号、ロックオフ信号を出力する。
アドレス制御部２８は、図１８に示すように、Ｃ（ｉ）がＣＡＶ−α≦Ｃ（ｉ）≦ＣＡＶ＋αのときにはＣ（ｉ）をそのまま出力し、Ｃ（ｉ）＜ＣＡＶ−αのときにはＣＡＶ−αを、ＣＡＶ＋α＜Ｃ（ｉ）のときにはＣＡＶ＋αを、０のときにはＣＡＶをそれぞれ出力し、かつ、アドレスロック検出部２６Ａのロックオン信号で出力値がロックされ、ロックオフ信号で出力値のロックが解除される。
【００４４】
アドレス制御部２８の出力値をアドレスとして輝度低下率ＲＯＭ２０から対応した輝度低下率が求められ、この輝度低下率に基づいて輝度特性取得部２２で輝度偏差量が求められる。
この輝度偏差量はフィルタ３０を介して誤差拡散処理部１２に帰還され、誤差の組入れによる誤差拡散処理が行われる。
このとき、伝送ノイズ等の影響による映像の微小変化や閉ループのループ振動等により、輝度特性取得部２２から誤差拡散処理部１２へ帰還する輝度偏差量が変動し、表示面積率演算部１８で求めたＣ（ｉ）が一定範囲Ｗの外になるほど大きくなった場合、アドレス制御部２８の出力値が、図１９に示すように平均値ＣＡＶを中心とした±α内（すなわち一定範囲Ｗ内）に制限されので、輝度低下率ＲＯＭ２０から求められる輝度低下率の変動範囲も小さくなる。図１９において、σＳＦ１〜σＳＦ５はサブフレームＳＦ１〜ＳＦ５の輝度低下率を表している。
【００４５】
また、複数フレーム間における輝度変化が小さいときに、アドレスロック検出部２６のロックオン信号でアドレス制御部２８から輝度低下率ＲＯＭ２０へ出力するアドレスをロックしているので、輝度低下率ＲＯＭ２０から求められる輝度低下率の変動範囲をさらに小さくして、フリッカを軽減できる。
また、フィルタ３０は、輝度特性取得部２２で求めた輝度偏差量の変動を抑制して誤差拡散処理部１２へ出力し、輝度偏差量の変動量が設定値Ｓ４未満のときには変動前の輝度偏差量に対応した固定値を出力し、設定値Ｓ４以上のときには変動後の輝度偏差量に対応した値を出力するので、輝度特性取得部２２から誤差拡散処理部１２へ転送される輝度偏差量の変動が抑制され、ループ振動をさらに一層小さくして、フリッカをさらに一層軽減できる。
【００４６】
以下、Ａ：アドレスロック検出部２６Ａの作用、Ｂ：アドレス制御部２８の作用、Ｃ：フィルタ３０の作用、Ｄ：誤差拡散処理部１２のフレーム間拡散作用に分けて詳述する。
【００４７】
Ａ：アドレスロック検出部２６Ａの作用
表示面積率演算部１８から出力する表示面積率Ｃ（ｉ）がアドレスロック検出部２６Ａに入力すると、アドレスロック検出部２６Ａはつぎのように作用する。輝度演算器３６はＣ（ｉ）に基づいて各フレームの発光輝度を演算し、セレクタ３８は、ロック判別器３４からのロックオン信号で２フレーム遅延器４１からの出力信号（２フレーム又はそれ以上前の発光輝度）（Ｂ信号）を選択し、ロック判別器３４からのロックオフ信号で現フレームの発光輝度（Ａ信号）を選択する。
減算器４２は、輝度演算器３６から出力する現フレームの発光輝度（Ａ信号）と、２フレーム遅延器４１から出力する２フレーム又はそれ以上前の発光輝度（Ｂ信号）との差の絶対値｜Ａ−Ｂ｜を演算し、比較器４６は、減算器４２の出力（Ａ信号）と現フレームの発光輝度に設定値Ｓ２（係数器４４の係数）を掛けた値（Ｂ信号）を比較し、輝度変化率が設定値Ｓ２以下（Ａ≦Ｂ）のときにＨレベルの信号を出力し、そうでないときにＬレベルの信号を出力する。
アップダウンカウンタ３３は、比較器４６からのＨレベル信号でフレームパルスをアップカウントし、Ｌレベル信号でフレームパルスをダウンカウントし、ロック判別器３４は、図１７に示すように、アップダウンカウンタ３３のカウント値ＨＬＫが設定値ＨＬＫＭ（Ｓ３の例）以上のときにはロックオン信号を出力し、設定値ＨＬＫＭ未満のときにはロックオフ信号を出力する。
【００４８】
Ｂ：アドレス制御部２８の作用
前記アドレス制御部２８は、入力端子８２に入力した表示面積率演算部１８からの表示面積率Ｃ（ｉ）と、入力端子８３に入力したアドレスロック検出部２６Ａからのロックオン信号、ロックオフ信号に基づいて、図１８に示すような信号ＣＨ（ｉ）を出力するとともに、ロックオン信号で出力値がロックされ、ロックオフ信号で出力値のロックが解除される。
【００４９】
以下、詳述する。
平均値演算器５６はＣ（ｉ）の平均値ＣＡＶを演算し、減算器５８はＣ（ｉ）−ＣＡＶの演算を行う。
比較器６０はＣ（ｉ）−ＣＡＶと定数αを比較し、Ｃ（ｉ）−ＣＡＶ＞αのときにＨレベル信号を、Ｃ（ｉ）−ＣＡＶ≦αのときにＬレベル信号を出力する。比較器６２はＣ（ｉ）−ＣＡＶと定数−αを比較し、Ｃ（ｉ）−ＣＡＶ＜−αのときにＨレベル信号を、Ｃ（ｉ）−ＣＡＶ≧−αのときにＬレベル信号を出力する。
このため、▲１▼のＣ（ｉ）＞ＣＡＶ＋αのときには、アンドゲート６４が開となって、加算器７２からはＣＡＶ＋αが出力する。
また、▲２▼のＣ（ｉ）＜ＣＡＶ−αのときには、アンドゲート６６が開となって、加算器７２からはＣＡＶ−αが出力する。
また、▲４▼のＣＡＶ−α≦Ｃ（ｉ）≦ＣＡＶ＋αのときには、ノアゲート７０のＨレベル出力でセレクタ７４からはＣ（ｉ）がそのままＣＨ（ｉ）として出力する。
また、▲３▼のＣ（ｉ）＝０のときには、ゼロ検出器７７のＨレベル出力でセレクタ７６からは平均値演算器５６からのＣＡＶを出力する。
【００５０】
入力端子８３にアドレスロック検出部２６からのロックオン信号が入力していないとき（すなわちロックオフ信号が入力しているとき）には、アンドゲート７８が閉でＤラッチ８０のＣＫ（クロックパルス）への入力がないので、Ｄラッチ８０からは、Ｄ端子に入力するセレクタ７４、７６で選択された前述の▲１▼〜▲４▼の信号が、そのままＱ端子から出力端子８４を介して輝度低下率ＲＯＭ２０へ出力する。
入力端子８３にアドレスロック検出部２６からのロックオン信号が入力しているときには、アンドゲート７８が開でＤラッチ８０のＣＫ（クロックパルス）へフレームパルスが入力するので、Ｄラッチ８０からは、フレームパルス入力時にＤ端子に入力する信号がラッチされ、Ｑ端子から出力端子８４を介して輝度低下率ＲＯＭ２０へ出力する。
【００５１】
Ｃ：フィルタ３０の作用
輝度特性取得部２２から出力する輝度偏差量は入力端子８５を介して加算器８６に入力する。また、ヒステリシス回路８８は、Ａ信号とＢ信号を比較し、両者の差の絶対値が設定値Ｓ３以下であればＢ信号を出力し、設定値Ｓ３を越えているときにはＡ信号を出力する。
このため、入力端子８５に入力する輝度偏差量のフレーム間変動が大きく、ヒステリシス回路８８がＡ信号を出力しているような場合には、加算器８６は、入力端子８５に入力する現フレームの輝度偏差量（Ａ信号）と、前フレームの輝度偏差量に係数１／２を掛けたもの（Ｂ信号）とを加算し、係数器９２は加算器８６の出力値に係数１／２を掛けたものを出力端子９０を介して誤差拡散処理部１２へ出力するので、輝度特性取得部２２から出力する輝度偏差量はフレーム間変動が抑制されて誤差拡散処理部１２に帰還される。
【００５２】
また、入力端子８５に入力する輝度偏差量のフレーム間変動が小さく、ヒステリシス回路８８がＢ信号を出力しているような場合には、加算器８６の出力値（Ａ信号）が大きくなって｜Ａ−Ｂ｜が設定値Ｓ３を越えるまでの複数フレームの間、ヒステリシス回路８８の出力がＢ信号に固定されている。このため、係数器９２は複数フレーム前の加算器８６の出力値に係数１／２を掛けた固定値を、出力端子９０を介して誤差拡散処理部１２へ出力するので、輝度特性取得部２２から出力する輝度偏差量は複数フレームの間、変動せずに誤差拡散処理部１２に帰還される。
【００５３】
Ｄ：誤差拡散処理部１２のフレーム間拡散作用
つぎに、誤差拡散に起因する擬似紋様を軽減するために、図２０に示すように誤差拡散処理部１２に雑音加算用の加算器１７を設け、図２１の場合と同様に２フレーム巡回の雑音多重制御信号を加え場合のフレーム間拡散作用について説明する。
あるフレーム（例えば２ｎフレーム）の各画素に図５（ａ）に示すような雑音多重制御信号（パターンＡ）を加え、つぎのフレーム（例えば２ｎ＋１フレーム）の対応する各画素に反転信号である同図（ｂ）に示すような雑音多重制御信号（パターンＢ）を加えるものとすると、そのつぎのフレーム（例えば２ｎ＋２フレーム）の対応する各画素には同図（ｃ）に示すような雑音多重制御信号（パターンＡ）を加えることになる。換言すればフレーム毎に加えられる雑音多重制御信号のパターンは、Ａ、Ｂ、Ａ、Ｂ、Ａ、Ｂ、…を繰り返す。
【００５４】
静止画のようにフレーム間の輝度変化率が小さくロックオフ信号が出力しているときには、アドレスロック検出部２６Ａのセレクタ３８は入力信号Ａを選択しているので、減算器４２は現フレームの発光輝度（入力信号Ａ）と２フレーム前のフレームの発光輝度（入力信号Ｂ）の差の絶対値を出力する。
このため、静止画においては、現フレームと２フレーム前のフレームを比較した場合、映像に基づく発光輝度が等しく、かつフレーム間拡散のために加えられる雑音多重制御信号も等しい（ともにパターンＡ又はパターンＢ）ので、現フレームと２フレーム前のフレームの発光輝度差が０となる（すなわち、減算器４２の出力が０となる）。したがって、静止画の場合、確実にロック条件が成立し、ループ振動を抑えることができる。
【００５５】
以上のように、アドレス制御部２８の出力値が平均値ＣＡＶを中心とした±α内に制限され、輝度低下率ＲＯＭ２０から求められる輝度低下率の変動範囲も小さくなるので、静止画や動画のフリッカ原因である表示面積率Ｃ（ｉ）の実質値ＣＨ（ｉ）のバラツキを抑えることができ、フレーム毎の実質的なＣ（ｉ）（すなわちＣＨ（ｉ））はある値に収束する方向に向かい、誤差拡散ループ全体として、伝送ノイズ等の影響を受けにくくフリッカを軽減できる。また、輝度低下率ＲＯＭ２０の必要とする記憶容量を少なくできる。
【００５６】
その上、複数フレーム間の輝度変化が小さいときにアドレスロック検出部２６Ａのロックオン信号でアドレス制御部２８から輝度低下率ＲＯＭ２０へ出力するアドレスをロックしているので、輝度低下率ＲＯＭ２０から求められる輝度低下率の変動範囲をさらに小さくして、フリッカをさらに軽減できる。
しかも、静止画においては、現フレームと２フレーム前のフレームの発光輝度差が０となるので、確実にロック条件が成立し、ループ振動を抑えることができる。
さらに、フレーム間拡散で加算する雑音多重制御信号は図５に示すように２フレームで１巡りするので、各フレームの各画素に加算する雑音信号の２フレーム毎の総和を０として雑音加算による映像への影響を少なくできる。
さらに、図１５に示した既提案の場合と同様にして、反転補正部１４と反転検出部２４を設けた作用効果、フィルタ３０を設けた作用効果を有する。
【００５７】
前記実施形態例では、アドレスロック検出部の輝度変化率検出部は、２フレーム遅延器４１を具備し、ロック判定器からロックオフ信号が出力しているときには現フレームと２フレーム前のフレームとの間における輝度変化率が設定値Ｓ２以下か否かを検出し、ロック判定器からロックオン信号が出力しているときにはロックオン開始時から２フレーム前のフレームと現フレームとの間における輝度変化率が設定値Ｓ２以下か否かを検出するように構成し、静止画においてフレーム間拡散時の現フレームと２フレーム前のフレームの発光輝度差が０となるとともに、フレーム間拡散で加算する２フレーム巡回の雑音信号の総和を０とするようにしたが、本発明はこれに限るものではない。
【００５８】
例えば、図６に示すように、図２の２フレーム遅延器４１の代わりに４フレーム遅延器４３を設け、ロック判定器３４からロックオフ信号が出力しているときには現フレームと４フレーム前のフレームとの間における輝度変化率が設定値Ｓ２以下か否かを検出し、ロック判定器３４からロックオン信号が出力しているときにはロックオン開始時から４フレーム前のフレームと現フレームとの間における輝度変化率が設定値Ｓ２以下か否かを検出するように構成し、静止画においてフレーム間拡散時の現フレームと４フレーム前のフレームの発光輝度差が０となるとともに、フレーム間拡散で加算する４フレーム巡回の雑音信号の総和を０とするようにしてもよい。
【００５９】
詳述すると、図１のアドレスロック検出部２６Ａの代わりに図６のアドレスロック検出部２６Ｂを設けた階調適応型誤差拡散回路において、誤差拡散に起因する擬似紋様を軽減するために、図２０に示すように誤差拡散処理部１２に雑音加算用の加算器１７を設け、図７に示すような４フレーム巡回の雑音多重制御信号を加え場合のフレーム間拡散作用を考える。
連続する４つのフレーム（例えば４ｎ、４ｎ＋１、４ｎ＋２、４ｎ＋３フレーム）の各画素に図７（ａ）、（ｂ）、（ｃ）、（ｄ）に示すような雑音多重制御信号（パターンＡ、Ｂ、Ｃ、Ｄ）を加え、以下これを繰り返すフレーム間拡散のときは、パターンＡとＣ、パターンＢとＤは互いに反転関係となり、フレームパルスと雑音多重制御信号とは図８（ａ）、（ｂ）の関係になる。このため、４フレームで巡回する雑音多重制御信号の４つのパターンＡ、Ｂ、Ｃ、Ｄの総和が０となり、雑音加算による映像への影響を抑えることができる。
【００６０】
図８（ｃ）に示すように、入力端子１０に入力する映像信号が最初静止画、つぎに動画に対応した信号であり、表示面積率演算部１８から出力するカウント値Ｃ（ｉ）が同図（ｄ）に示すように静止画のときにはａ１、ｂ１、ｃ１、ｄ１、ａ２、ｂ２、…、ｄ３であり、動画のときにはａ４、ｂ４、…、ａ５、ｂ６、…であるとする。このａ１、ｂ１、ｃ１、ｄ１は連続する４つのフレームの静止画にパターンＡ、Ｂ、Ｃ、Ｄの雑音多重制御信号に対応した雑音信号を加算したときの表示面積率を表し、ａ２、ｂ２、ｃ２、ｄ２は、そのつぎに連続する４つのフレームの静止画にパターンＡ、Ｂ、Ｃ、Ｄの雑音多重制御信号に対応した雑音信号を加算したときの表示面積率を表し、ａ４、ｂ４、ｃ４、ｄ４は連続する４つのフレームの動画にパターンＡ、Ｂ、Ｃ、Ｄの雑音多重制御信号に対応した雑音成分を加算したときの表示面積率を表し、以下同様である。また、静止画はフレームで表示面積率が変化しないのでａ１＝ａ２＝ａ３、ｂ１＝ｂ２＝ｂ３、…が成立し、動画はフレーム毎に表示面積率が変化するのでａ４≠ａ５、ｂ４≠ｂ５、ｃ４≠ｃ５、ｄ４≠ｄ５、…となる。
【００６１】
静止画のように輝度変化率が０又は小さいときは、図８（ｌ）に示すように、最初はロック判別器３４からロックオフ信号が出力しているので、アドレスロック検出部３２Ｂのセレクタ３８は入力信号Ａを選択している。このため、４フレーム遅延器４３の出力側には、図８（ｈ）に示すようなａ１、ｂ１、ｃ１、ｄ１、ａ２、ｂ２、…のカウント値に対応した発光輝度を出力し、減算器４２が演算する輝度差は、同図（ｈ）のａ１出現時に？から０に変化する。ここで？はカウントダウンが成立するレベルを表す。また、比較器４６は、減算器４２の演算する輝度差の現フレームの発光輝度に対する割合（輝度変化率）が設定値Ｓ２以下か否かでＨ、Ｌレベル信号を出力するので、アップダウンカウンタ３３は、図８（ｊ）に示すように、減算器４２が演算する輝度差が？のときにはカウントダウン、輝度差が０のときにはカウントアップし、このカウントアップ開始時からアップダウンカウンタ３３の出力は同図（ｋ）に示すようにフレーム毎に１、２、３、…と変化する。
【００６２】
アップダウンカウンタ３３のカウント値が６（＝ＨＬＫＭ）に達すると、ロック判別器３４の出力がロックオフ信号からロックオン信号に変化し、このロックオン信号がアドレス制御部２８に出力してアドレス制御部２８から輝度低下率ＲＯＭ２０へ出力するアドレスをロックすると共に、ロックオン信号がセレクタ３８へ出力してセレクタ３８による選択が入力信号のＡからＢに変わる。このため、ロックオン開始時の４フレーム遅延器４３の出力（ｂ２対応）がセレクタ３８で選択されて４フレーム遅延器４３への入力となるので、４フレーム遅延器４３の出力は、ａ３の次がｂ２に戻り、以降ｃ２、ｄ２、…と続く。
【００６３】
したがって、入力映像が静止画で４フレーム経過すると、減算器４２の輝度差が０となり、比較器４６の出力が常に一方のレベル（Ｈレベル）に維持されるので、アップダウンカウンタ３３が一方のカウント（アップカウント）を続け、このカウント値が設定値ＨＬＫＭ以上になるとロック判別器３４の出力がロックオフ信号からロックオン信号に変化し、以後これを継続する。このため、静止画の場合、確実にロック条件が成立し、ループ振動を抑えることができる。
【００６４】
入力映像が静止画から動画に変化すると、図８（ｄ）、（ｉ）に示すように、カウント値Ｃ（ｉ）が動画に対応したａ４に変化して減算器４２の演算値が０から？に変化するので、比較器４６の出力がＨレベルからＬレベルに変化し、同図（ｊ）（ｋ）に示すように、アップダウンカウンタ３３がカウントアップモードからカウントダウンモードに変化し、カウント値が７、６、…と減少する。このカウント値が減少して設定値ＨＬＫＭ未満の５になると、ロック判別器３４の出力が、図８（ｌ）に示すようにロックオン信号からロックオフ信号に変化する。このため、アドレス制御部２８から輝度低下率ＲＯＭ２０へ出力するアドレスのロックが解除されると共に、セレクタ３８の選択が入力信号ＢからＡに変化して、その時のカウント値Ｃ（ｉ）＝ｂ４を４フレーム遅延器４３の入力とする。
【００６５】
前記実施形態例では、アドレスロック検出部の輝度変化率検出部は、２フレーム遅延器４１又は４フレーム遅延器４３を具備し、ロック判定器からロックオフ信号が出力しているときには現フレームと２又は４フレーム前のフレームとの間における輝度変化率が設定値Ｓ２以下か否かを検出し、ロック判定器からロックオン信号が出力しているときにはロックオン開始時から２又は４フレーム前のフレームと現フレームとの間における輝度変化率が設定値Ｓ２以下か否かを検出するように構成し、静止画においてフレーム間拡散時の現フレームと２又は４フレーム前のフレームの発光輝度差が０となるとともに、フレーム間拡散で加算する２又は４フレーム巡回の雑音信号の総和が０となるようにしたが、本発明はこれに限るものではない。
【００６６】
例えば、ロック判定器からロックオフ信号が出力しているときには現フレームと２ｐ（ｐは１以上の整数）又は４ｐフレーム前のフレームとの間における輝度変化率が設定値Ｓ２以下か否かを検出し、ロック判定器からロックオン信号が出力しているときにはロックオン開始時から２ｐ又は４ｐフレーム前のフレームと現フレームとの間における輝度変化率が設定値Ｓ２以下か否かを検出するように構成し、静止画においてフレーム間拡散時の現フレームと２ｐ又は４ｐフレーム前のフレームの発光輝度差が０となるとともに、フレーム間拡散で加算する２ｐ又は４ｐフレーム巡回の雑音信号の総和が０となるようにしてもよい。
【００６７】
または、ロック判定器からロックオフ信号が出力しているときには現フレームとｑ（ｑは偶数に限らず奇数を含む複数）フレーム前のフレームとの間における輝度変化率が設定値Ｓ２以下か否かを検出し、ロック判定器からロックオン信号が出力しているときにはロックオン開始時からｑフレーム前のフレームと現フレームとの間における輝度変化率が設定値Ｓ２以下か否かを検出するように構成し、静止画においてフレーム間拡散時の現フレームとｑフレーム前のフレームの発光輝度差が０となるとともに、フレーム間拡散で加算するｑフレーム巡回の雑音信号の総和が０に近い値となるようにして雑音加算による映像への影響を少なくするようにしてもよい。
【００６８】
前記実施形態例では、アドレスロック検出部の輝度変化率検出部（例えば３２Ａ、３２Ｂ）は、輝度演算部３６と複数フレーム遅延器（例えば４１、４３）の間にセレクタ３８を設け、ロック判定器３４からロックオフ信号が出力しているときには現フレームと複数フレーム前のフレームとの間における輝度変化率が設定値Ｓ２以下か否かを検出し、ロック判定器からロックオン信号が出力しているときにはロックオン開始時から複数フレーム前のフレームと現フレームとの間における輝度変化率が設定値Ｓ２以下か否かを検出するように構成したが、本発明はこれに限るものでなく、セレクタ３８を省略した場合についても利用することができる。
【００６９】
前記実施形態例では、アドレスロック検出部のロック判別部は、アップダウンカウンタのカウント値が設定値Ｓ３（例えばＨＬＫＭ）以上か否かに基づいてロックオン信号、ロックオフ信号を出力するように構成したが、本発明はこれに限るものでなく、カウント値が設定値Ｓ３Ａ（例えばＨＬＫＭ）以上のときにロックオン信号を出力し、カウント値が設定値Ｓ３Ａ以上になった後は設定値Ｓ３Ｂ（Ｓ３ＢはＳ３Ａ未満で例えばＨＬＫＭ−γ）以下のときにロックオフ信号を出力するように構成した場合についても利用することができる。
【００７０】
図９は上述のような場合の一例を示すもので、３４Ａはロック判別器を表し、このロック判別器３４Ａは比較器４５と比較対象選択器４７とから成り、前記比較器４５は、アップダウンカウンタ３３のカウント値を入力信号Ａとし、前記比較対象選択器４７で選択された設定値ＨＬＫＭ（設定値Ｓ３Ａの一例）又は設定値ＨＬＫＭ−γ（設定値Ｓ３Ｂの一例）を入力信号Ｂとして比較し、Ａ≧Ｂのときにロックオン信号を出力し、Ａ＜Ｂのときにロックオフ信号を出力するように構成されている。さらに、前記比較対象選択器４７は前記比較器４５の出力がロックオン信号（例えばＨレベル信号）のときには一方の設定値ＨＬＫＭを選択し、ロックオフ信号（例えばＬレベル信号）のときには他方の設定値ＨＬＫＭ−γを選択して出力するように構成されている。
【００７１】
このため、図１０に示すように、ロック判定器３４Ａはアップダウンカウンタ３３のカウント値ＨＬＫがＨＬＫＭ（設定値Ｓ３Ａの一例）以上のときにロックオン信号を出力し、カウント値ＨＬＫが設定値ＨＬＫＭ以上になった後はＨＬＫＭより小さい設定値ＨＬＫＭ−γ以下のときにロックオフ信号を出力する。このため、カウント値が設定値Ｓ３以上か否かでロックオン信号、ロックオフ信号を出力する場合と比べて、ロックが外れにくくなる。すなわち、カウント値が設定値Ｓ３Ａ以上となってアドレス制御部から輝度低下率ＲＯＭへ出力するアドレスがロックされた後は、カウント値がＳ３Ａより小さい設定値Ｓ３Ｂにならなければロックが解除されないからである。
【００７２】
前記実施形態例では、表示面積演算部で求めた表示面積率Ｃ（ｉ）の変動範囲をアドレス制御部で制限して輝度低下率ＲＯＭへ出力する一定範囲Ｗを、ＣＡＶ−αからＣＡＶ＋αまでとしたが、本発明はこれに限るものでなく、ＣＡＶを含む一定範囲であればよい。例えば、一定範囲Ｗを、ＣＡＶ−α１からＣＡＶ＋α２までとしてもよい。
【００７３】
前記実施形態例では、反転補正部及び反転検出部を具備した階調適応型誤差拡散回路に本発明を利用した場合について説明したが、本発明はこれに限るものでなく、反転補正部及び反転検出部を省略した階調適応型誤差拡散回路についても利用することができる。
【００７４】
前記実施形態例では、輝度特性取得部と誤差拡散処理部の間にフィルタを設けた場合について説明したが、本発明はこれに限るものでなく、フィルタを省略した階調適応型誤差拡散回路についても利用することができる。
【００７５】
前記実施形態例では、表示装置がＰＤＰの場合について説明したが、本発明はこれに限るものでなく、ディジタルディスプレイパネル（例えば液晶ディスプレイパネル）の場合についても利用することができる。
【００７６】
【発明の効果】
請求項１、２及び３の発明は、誤差拡散処理部、表示面積率演算部、アドレスロック検出部、アドレス制御部、輝度低下率ＲＯＭ及び輝度特性取得部を具備し、伝送ノイズ等の影響による映像の微小変化や閉ループのループ振動等により、輝度特性取得部から誤差拡散処理部へ帰還する輝度偏差量が変動し、表示面積率演算部で求めた表示面積率Ｃ（ｉ）が平均値を含む一定範囲Ｗの外になるほど大きくなったときに、アドレス制御部でＣ（ｉ）を一定範囲Ｗ内の値ＣＨ（ｉ）に制限して輝度低下率ＲＯＭへのアドレスとすることにより、輝度低下率ＲＯＭから求められる輝度低下率の変動範囲を小さくするとともに、アドレスロック検出部のロックオン信号でアドレス制御部の出力値をロックするように構成したので、つぎのような効果を有する。
【００７７】
（ａ）静止画や動画のフリッカ原因である表示面積率Ｃ（ｉ）のバラツキが大きくなっても、実質値ＣＨ（ｉ）のバラツキを抑えることができ、フレーム毎の実質的な表示面積率ＣＨ（ｉ）がある値に収束する方向に向かい、誤差拡散ループ全体として、伝送ノイズ等の影響を受けにくくフリッカを軽減できる。特に、静止画に現われるフリッカの軽減に効果的である。
（ｂ）ロックオン信号でアドレス制御部の出力値をロックしてフレーム間における輝度変化率が小さいときにアドレス制御部から輝度低下率ＲＯＭへ出力するアドレスをロックするようにしたので、輝度低下率ＲＯＭから求められる輝度低下率の変動範囲をさらに小さくして、フリッカをさらに軽減できる。
【００７８】
請求項１及び３の発明は、アドレスロック検出部が輝度変化率検出部、アップダウンカウンタ及びロック判別器を具備し、この輝度変化率検出部で現フレームと複数フレーム前のフレームとの間における輝度変化量を検出するようにしたので、前記（ａ）（ｂ）の他に、さらにつぎの（ｃ）に記載の効果を有する。
（ｃ）誤差拡散に起因する擬似紋様を軽減するために、複数フレームで１巡りする複数フレーム巡回（例えば２フレーム巡回）の雑音多重制御信号でフレーム間拡散を行った場合においても、アドレスロック検出部の輝度変化率検出部は静止画に同じ極性の雑音信号を加算したフレーム間の輝度変化率を検出するので、静止画の場合に検出する輝度差が０となり、静止画にフリッカが現われない。
【００７９】
請求項２及び３の発明は、アドレスロック検出部が輝度変化率検出部、アップダウンカウンタ及びロック判別器を具備し、このロック判別器によって、カウント値が設定値Ｓ３Ａ以上のときにロックオン信号を出力し、カウント値が設定値Ｓ３Ａ以上になった後はＳ３Ａより小さい設定値Ｓ３Ｂ以下のときにロックオフ信号を出力するように構成したので、前記効果の他に、つぎの（ｄ）に記載の効果を有する。
（ｄ）カウント値が設定値Ｓ３以上か否かでロックオン信号、ロックオフ信号を出力する場合と比べてロックが外れにくくなるので、ロック条件が成立したりしなかったりを繰り返す状態が発生する可能性を低くして、このような繰り返し状態に起因するループ振動が発生しないようにすることができる。
【００８０】
請求項４の発明は、請求項１又は３の発明において、アドレスロック検出部の輝度変化率検出部は、ロック判定器からロックオフ信号が出力しているときには現フレームと２ｐフレーム前のフレームとの間における輝度変化量を検出し、ロック判定器からロックオン信号が出力しているときにはロックオン開始時から２ｐフレーム前のフレームと現フレームとの間における輝度変化量を検出するようにしたので、請求項１又は３の発明の効果の他につぎの（ｅ）に記載の効果を有する。
（ｅ）誤差拡散に起因する擬似紋様を軽減するためにフレーム間拡散で加算する雑音信号は２ｐフレームで１巡りするので、各フレームの各画素に加算する雑音信号の２ｐフレーム分の総和を０として雑音加算の映像への影響を少なくできる。例えば、ｐ＝１として、各フレーム毎に極性を反転させた雑音多重制御信号を加えてフレーム間拡散を行う場合に、各フレームの各画素に加算する雑音信号の２フレーム分の総和を０として雑音加算の映像への影響を少なくできる。
【００８１】
請求項５の発明は、請求項１又は３の発明において、アドレスロック検出部の輝度変化率検出部は、ロック判定器からロックオフ信号が出力しているときには現フレームと４ｐ（ｐは１以上の整数）フレーム前のフレームとの間における輝度変化量を検出し、ロック判定器からロックオン信号が出力しているときにはロックオン開始時から４ｐフレーム前のフレームと現フレームとの間における輝度変化量を検出するようにしたので、請求項１又は３の発明の効果の他につぎの（ｆ）に記載の効果を有する。
（ｆ）誤差拡散に起因する擬似紋様を軽減するためにフレーム間拡散で加算する雑音信号は４ｐフレームで１巡りするので、各フレームの各画素に加算する雑音信号の４ｐフレーム分の総和を０として雑音加算の映像への影響を少なくできる。例えば、ｐ＝１として、各フレーム毎に極性を反転させた雑音多重制御信号を加えてフレーム間拡散を行う場合に、各フレームの各画素に加算する雑音信号の４フレーム分の総和を０として雑音加算の映像への影響を少なくできる。
【００８２】
請求項６の発明は、請求項１、２、３、４又は５の発明において、輝度特性取得部と誤差拡散処理部の間にフィルタを設けるように構成したので、請求項１、２、３、４又は５の発明の効果の他につぎの（ｇ）に記載の効果を有する。
（ｇ）フィルタによって、輝度特性取得部で求めた輝度偏差量の変動量が設定値Ｓ４未満のときには変動前の輝度偏差量に対応した固定値を出力し、設定値Ｓ４以上のときには変動後の輝度偏差量に対応した値を出力するので、輝度特性取得部で求めた輝度偏差量の変動を抑制することができる。
【００８３】
請求項７の発明は、請求項１、２、３、４、５又は６の発明において反転補正部と反転検出部とを設けるように構成したので、請求項１、２、３、４、５又は６の発明の効果の他につぎの（ｈ）に記載の効果を有する。
（ｈ）誤差拡散後の擬似中間調表示の階調特性に反転部分がある場合、反転検出部がこれを検出して補正情報を反転補正部へ出力し、反転補正部が誤差拡散処理部から出力する拡散出力信号の反転を補正して表示装置及び表示面積率演算部へ出力するので、反転を補正して所定の発光輝度特性とすることができる。
【図面の簡単な説明】
【図１】本発明による階調適応型誤差拡散回路の一実施形態例を示すブロック図である。
【図２】図１中のアドレスロック検出部の具体例を示すブロック図である。
【図３】図１中のアドレス制御部の具体例を示すブロック図である。
【図４】図１中のフィルタの具体例を示すブロック図である。
【図５】図１中の誤差拡散処理部でフレーム間拡散を行うための雑音多重制御信号の説明図である。
【図６】図１中のアドレスロック検出部の他の実施形態例を示すブロック図である。
【図７】図１中のアドレスロック検出部を図６のものに置き換えた実施形態例において、その誤差拡散処理部でフレーム間拡散を行うための雑音多重制御信号の説明図である。
【図８】図１中のアドレスロック検出部を図６のものに置き換えた実施形態例の作用を説明するタイミングチャートである。
【図９】図２、図６中のロック判別部の他の実施形態例を示すブロック図である。
【図１０】図９のロック判別器３４Ａの動作説明図である。
【図１１】発光輝度特性の代表的な一例を示す特性図である。
【図１２】発光輝度特性の他の一例を示す特性図である。
【図１３】反転区間のある発光輝度特性の一例を示す特性図である。
【図１４】既提案の誤差拡散処理装置の一例を示すブロック図である。
【図１５】既提案の階調適応型誤差拡散処理回路のブロック図である。
【図１６】図１５中のアドレスロック検出部のブロック図である。
【図１７】図２、図６及び図１５中のロック判別器３４の動作説明図である。
【図１８】図１及び図１５中のアドレス制御部、図３のアドレス制御部の動作説明図である。
【図１９】図１及び図１５中の輝度低下率ＲＯＭにおける、各サブフレーム（ＳＦ１〜ＳＦ５）についての表示面積率Ｃ（ｉ）（＝アドレス）に対する輝度低下率（σＳＦ１〜σＳＦ５）の関係を表す特性図である。
【図２０】図１及び図１５中の誤差拡散処理部においてフレーム間拡散を行うための回路例を示すブロック図である。
【図２１】図１５中の誤差拡散処理部でフレーム間拡散を行うための雑音多重制御信号の説明図である。
【符号の説明】
１０、３５、８２、８５…入力端子、  １２…誤差拡散処理部、  １３、１５、１７…加算部、  １４…反転補正部、  １６、４８、８４、９０…出力端子、１８…表示面積率演算部、  １９…レベル制御器、  ２０…輝度低下率ＲＯＭ、  ２２…輝度特性取得部、  ２４…反転検出部、  ２６、２６Ａ、２６Ｂ…アドレスロック検出部、  ２８…アドレス制御部、  ３０…フィルタ、  ３２、３２Ａ、３２Ｂ…輝度変化率検出部、  ３３…アップダウンカウンタ、  ３４、３４Ａ…ロック判別器、  ３６…輝度演算器、  ３８、７４、７６…セレクタ、  ４０、９４…１フレーム遅延器、  ４１…２フレーム遅延器、  ４２、５８…減算器、  ４３…４フレーム遅延器、  ４４、９２、９６…係数器、  ４５、４６、６０、６２…比較器、  ４７…比較対象選択器、  ５６…平均値演算器、  ６４、６６、７８…アンドゲート、  ６８…オアゲート、  ７０…ノアゲート、  ７２、８６…加算器、  ７７…ゼロ検出器、  ８０…Ｄラッチ、  ８８…ヒステリシス回路、  Ｃ（ｉ）…サンプリングカウント値（表示面積率）、  ＣＡＶ…Ｃ（ｉ）の平均値、  ＣＡＶ、ＣＡＶ−α、ＣＡＶ＋α…設定値Ｓ１の一例、  ＣＨ（ｉ）…アドレス制御部の出力値（実質的な表示面積率、輝度低下率ＲＯＭ２０へのアドレス）、  ＨＬＫ…アップダウンカウンタ３３のカウント値、  ＨＬＫＭ…設定値Ｓ３（又はＳ３Ａ）の一例、  ＨＬＫＭ−γ…設定値Ｓ３Ｂの一例、  Ｓ２…設定値、  α、β、γ…定数。
【図１】
0003577872.tif 000002
【図２】
0003577872.tif 000003
【図３】
0003577872.tif 000004
【図４】
0003577872.tif 000005
【図５】
0003577872.tif 000006
【図６】
0003577872.tif 000007
【図７】
0003577872.tif 000008
【図８】
0003577872.tif 000009
【図９】
0003577872.tif 000010
【図１０】
0003577872.tif 000011
【図１１】
0003577872.tif 000012
【図１２】
0003577872.tif 000013
【図１３】
0003577872.tif 000014
【図１４】
0003577872.tif 000015
【図１５】
0003577872.tif 000016
【図１６】
0003577872.tif 000017
【図１７】
0003577872.tif 000018
【図１８】
0003577872.tif 000019
【図１９】
0003577872.tif 000020
【図２０】
0003577872.tif 000021
【図２１】
0003577872.tif 000022